(57)【要約】【課題】本発明は、電気コネクタの端子の単線接続部に接続された単線の先端部が軸回りに回転することを抑制し、単線がハウジングから抜去されることを抑制することを目的とする。【解決手段】本発明の電気コネクタ１は、ハウジング２と、単線Ｗが接続される端子３と、保持部材４とを備え、保持部材４は、単線Ｗをハウジング２の内部から外部へと導出する導出部４４を有し、導出部４４は、単線接続部３２における単線Ｗの先端部Ｗ１１の軸Ｘ方向に対して交差するように所定の延在方向へと屈曲して延びる単線Ｗを導出するように構成されている。【選択図】図３
2020184418.tif 000002
【特許請求の範囲】
【請求項１】
単線が接続され、相手側コネクタに電気的に接続される電気コネクタであって、前記電気コネクタが、
ハウジングと、
前記ハウジングに設けられ、前記単線が接続される端子と、
前記ハウジングの、前記単線が接続される側の端部に取り付けられ、前記単線を所定の延在方向に保持する保持部材とを備え、
前記端子は、
前記単線の先端部が挿入される挿入口を有する単線挿入部と、前記単線の先端部に電気的に接続される単線接続部と、前記相手側コネクタの相手側端子に電気的に接続される相手側端子接続部とを有し、
前記保持部材および／またはハウジングは、前記単線を前記ハウジングの内部から外部へと導出する導出部を有し、
前記導出部は、前記単線接続部における前記単線の先端部の軸方向に対して交差するように前記所定の延在方向へと屈曲して延びる単線を導出するように構成されている、
電気コネクタ。
【請求項２】
前記導出部は、
前記単線の先端部が前記先端部の軸回りに回転しないように、前記単線と当接する一対の壁部を有している、請求項１に記載の電気コネクタ。
【請求項３】
前記単線接続部は、前記単線の先端部を両側から挟み込む一対の接点バネ部を備えている、請求項１または２に記載の電気コネクタ。
【請求項４】
前記保持部材が、前記ハウジングの側面に設けられた被係合部と係合する係合部を有し、前記係合部は、前記導出部に隣接した位置に設けられている、請求項１〜３のいずれか１項に記載の電気コネクタ。
【請求項５】
前記保持部材が、前記単線の先端部の軸方向に対して垂直な方向に延びる押圧面を有している、請求項１〜４のいずれか１項に記載の電気コネクタ。
【請求項６】
前記保持部材および／またはハウジングが、前記導出部において導出される単線の延在方向以外の第２の方向に前記単線が屈曲した場合に、前記単線を前記第２の方向に導出可能な第２導出部をさらに有している、請求項１〜５のいずれか１項に記載の電気コネクタ。
【請求項７】
前記保持部材が、前記単線が前記単線の先端部の軸方向に沿って延びる場合に、前記単線を導出可能な第３導出部をさらに有している、請求項１〜６のいずれか１項に記載の電気コネクタ。
【発明の詳細な説明】
【技術分野】
【０００１】
本発明は電気コネクタに関する。
【背景技術】
【０００２】
電線同士を電気的に接続する際や、電線を基板に電気的に接続する際に、電気コネクタが用いられている。このような電気コネクタは、端子を有するハウジングと、端子に接続される電線を有している。電気コネクタに用いられる電線としては、単線および撚線が用いられている。これらのうち単線は、１本の導体と、導体を被覆する被覆とによって構成されている。単線の先端部においては、被覆が除去されて導体の外周が露出しており、単線の先端部の露出した導体は、たとえば、特許文献１に示されるように、一対の板バネ状の接続片の間に挟持されて、電気コネクタの端子と単線とが電気的に接続されている。
【先行技術文献】
【特許文献】
【０００３】
【特許文献１】特開２０１５−１１９９０号公報
【発明の概要】
【発明が解決しようとする課題】
【０００４】
電気コネクタに用いられる単線は、撚線とは異なり、相対的に太くて剛性の高い１本の導体で構成されている。したがって、たとえば、電気コネクタを相手側コネクタに組み付ける前後など、単線の軸回りに回転力が加わると、撚線のように軸回りに捻じれるのではなく、単線の被覆部分と、単線の端子に接続された部位とは共に軸回りに回転する。
【０００５】
このように、単線の導体とハウジングの端子との間の接続部位において、導体の軸回りに回転力が加わると、端子に挟み込まれた導体は、ハウジングの端子に対して回転して、ハウジングから容易に引き抜かれてしまう。
【０００６】
そこで、本発明はかかる問題点に鑑みて、電気コネクタの端子の単線接続部に接続された単線の先端部が軸回りに回転することを抑制し、単線がハウジングから抜去されることを抑制することができる、電気コネクタを提供することを目的とする。
【課題を解決するための手段】
【０００７】
本発明の電気コネクタは、単線が接続され、相手側コネクタに電気的に接続される電気コネクタであって、前記電気コネクタが、ハウジングと、前記ハウジングに設けられ、前記単線が接続される端子と、前記ハウジングの、前記単線が接続される側の端部に取り付けられ、前記単線を所定の延在方向に保持する保持部材とを備え、前記端子は、前記単線の先端部が挿入される挿入口を有する単線挿入部と、前記単線の先端部に電気的に接続される単線接続部と、前記相手側コネクタの相手側端子に電気的に接続される相手側端子接続部とを有し、前記保持部材および／またはハウジングは、前記単線を前記ハウジングの内部から外部へと導出する導出部を有し、前記導出部は、前記単線接続部における前記単線の先端部の軸方向に対して交差するように前記所定の延在方向へと屈曲して延びる単線を導出するように構成されている。
【０００８】
また、前記導出部は、前記単線の先端部が前記先端部の軸回りに回転しないように、前記単線と当接する一対の壁部を有していることが好ましい。
【０００９】
また、前記単線接続部は、前記単線の先端部を両側から挟み込む一対の接点バネ部を備えていることが好ましい。
【００１０】
また、前記保持部材が、前記ハウジングの側面に設けられた被係合部と係合する係合部を有し、前記係合部は、前記導出部に隣接した位置に設けられていることが好ましい。
【００１１】
また、前記保持部材が、前記単線の先端部の軸方向に対して垂直な方向に延びる押圧面を有していることが好ましい。
【００１２】
また、前記保持部材および／またはハウジングが、前記導出部において導出される単線の延在方向以外の第２の方向に前記単線が屈曲した場合に、前記単線を前記第２の方向に導出可能な第２導出部をさらに有していることが好ましい。
【００１３】
また、前記保持部材が、前記単線が前記単線の先端部の軸方向に沿って延びる場合に、前記単線を導出可能な第３導出部をさらに有していることが好ましい。
【発明の効果】
【００１４】
本発明の電気コネクタによれば、電気コネクタの端子の単線接続部に接続された単線の先端部が軸回りに回転することを抑制し、単線がハウジングから抜去されることを抑制することができる。
【図面の簡単な説明】
【００１５】
【図１】本発明の一実施形態の電気コネクタおよび基板に接続された相手側コネクタを示す分解斜視図である。
【図２】図１の電気コネクタが相手側コネクタに接続された状態を示す斜視図である。
【図３】電気コネクタに単線が接続された状態で、単線を縦断するように切断した断面図である。
【図４】図３と同様の断面で切断した斜視図である。
【図５】図４の断面を別の角度から見た斜視図である。
【図６】単線が接続された状態を示す端子の部分断面図である。
【図７】保持部材の斜視図である。
【図８】保持部材を第１係合部側から見た側面図である。
【図９】保持部材を第２係合部側から見た側面図である。
【図１０】第２導出部が設けられた電気コネクタの変形例を示す斜視図である。
【図１１】第２導出部が設けられた電気コネクタの変形例を示す断面図である。
【図１２】第３導出部が設けられた電気コネクタの変形例を示す斜視図である。
【図１３】第３導出部が設けられた電気コネクタの変形例を示す断面図である。
【図１４】ハウジングに導出部が設けられた電気コネクタの概略図である。
【発明を実施するための形態】
【００１６】
以下、図面を参照し、本発明の電気コネクタの実施形態を説明する。なお、以下に示す実施形態はあくまで一例であり、本発明の電気コネクタは、以下の実施形態に限定されない。
【００１７】
図１および図２に示されるように、電気コネクタ１は、単線Ｗと相手側コネクタＣとを電気的に接続する。本実施形態では、複数の単線Ｗが接続された電気コネクタ１を相手側コネクタＣに嵌合することによって、電気コネクタ１が相手側コネクタＣに電気的に接続される。なお、本明細書において単線Ｗとは、単一の（撚線ではない１本の）導体（芯線）Ｗ１と、導体Ｗ１の外周を被覆する被覆Ｗ２とを有する電線である。後述する電気コネクタ１の端子３に接続される部分となる単線Ｗの先端部Ｗ１１は、図１に示されるように、被覆Ｗ２が取り除かれて導体Ｗ１が露出している。
【００１８】
本実施形態では、電気コネクタ１は、図２に示されるように、相手側コネクタＣを介して基板Ｂに接続されている。なお、電気コネクタ１および相手側コネクタＣは、本実施形態では、基板接続用のコネクタとして示されているが、電気コネクタおよび相手側コネクタは、基板接続用のコネクタに限定されず、電線対電線コネクタなど、他の用途のコネクタであってもよい。また、本実施形態では、電気コネクタ１が雌コネクタであり、相手側コネクタが雄コネクタであるが、電気コネクタが雄コネクタであり、相手側コネクタが雌コネクタであってもよい。電気コネクタ１の詳細については後述するが、電気コネクタ１は、図１に示されるように、ハウジング２と、端子３と、保持部材４とを備えている。
【００１９】
相手側コネクタＣは、電気コネクタ１に接続されるコネクタである。本実施形態では、相手側コネクタＣは、回路パターン（図示せず）が形成された基板Ｂに実装されている。電気コネクタ１は、相手側コネクタＣに対して基板Ｂに対して略垂直な方向に嵌合接続される。なお、電気コネクタ１は、相手側コネクタＣに対して基板Ｂに略平行な方向に嵌合接続されてもよい。また、相手側コネクタＣは、基板Ｂに実装されていない電線を有するコネクタであってもよい。
【００２０】
相手側コネクタＣは、図１に示されるように、電気コネクタ１のハウジング２に接続される基部Ｃ１と、基部Ｃ１に設けられた複数の相手側端子Ｃ２とを備えている。
【００２１】
基部Ｃ１は、相手側端子Ｃ２が設けられ、電気コネクタ１のハウジング２に接続される。基部Ｃ１は、たとえば、絶縁性を有する樹脂材料によって形成される。基部Ｃ１の形状や構造は特に限定されず、用いられるコネクタの用途に応じて適宜変更される。本実施形態では、基部Ｃ１は基板Ｂに実装され、複数の（４本の）相手側端子Ｃ２が基板Ｂに対して垂直に延びるように相手側端子Ｃ２を支持している。基部Ｃ１は、相手側端子Ｃ２が挿通される端子台Ｃ１１と、端子台Ｃ１１から基板Ｂに対して略垂直に延びる相手側係合片Ｃ１２を有している。端子台Ｃ１１は基板Ｂの表面に設けられた、略直方体状の部材である。相手側係合片Ｃ１２は板状に形成され、後述するハウジング２のハウジング側係合片Ｅと係合する爪を自由端に有している。
【００２２】
相手側端子Ｃ２は、電気コネクタ１の端子３に接続される端子である。電気コネクタ１の端子３と相手側端子Ｃ２とが接続されることによって、電気コネクタ１と相手側コネクタＣとが電気的に接続される。相手側端子Ｃ２の形状や構造は、電気コネクタ１の端子３に接続されて、電気コネクタ１と相手側コネクタＣとを電気的に接続することができれば、特に限定されず、電気コネクタ１の端子３の形状に応じて適宜変更することができる。本実施形態では、相手側端子Ｃ２は、導電性を有する材料によって形成されたピン状の端子である。相手側端子Ｃ２は、基板Ｂに対して略垂直に延び、端子台Ｃ１１および基板Ｂを貫通して設けられている。相手側端子Ｃ２の一端は、電気コネクタ１の端子３に挿入され、他端は、基板Ｂを貫通して基板Ｂの裏面にはんだ付けによって接続されている。なお、本実施形態では、４本の相手側端子Ｃ２が設けられているが、相手側端子Ｃ２の数は限定されず、電気コネクタ１の端子３の数に応じて適宜変更される。
【００２３】
電気コネクタ１のハウジング２は、相手側コネクタＣに接続される。ハウジング２は、たとえば、絶縁性を有する樹脂材料によって形成される。ハウジング２は、図１、図３〜図５に示されるように、端子３を収容する収容部２１を有し、収容部２１に設けられた端子３に単線Ｗが接続される。ハウジング２の収容部２１は、単線Ｗを端子３に向かって挿入するための第１開口部２１１と、相手側コネクタＣの相手側端子Ｃ２を端子３に向かって挿入するための第２開口部２１２（図３〜図５参照）とを有している。本実施形態では、第１開口部２１１と第２開口部２１２とは、電気コネクタ１の相手側コネクタＣへの嵌合方向（図１における上下方向）で対向するように設けられている。
【００２４】
ハウジング２の形状や構造は特に限定されず、電気コネクタ１が用いられる用途や実装される対象に応じて適宜変更される。本実施形態では、ハウジング２は、略直方体状に形成され、複数の（４つの）端子３を収容できるように構成されている。具体的には、複数の収容部２１が列をなして設けられ、複数の収容部２１は、隔壁２２によって区画され、収容部２１に収容される端子３が互いに対して隔離されている。ハウジング２は、互いに対向する第１の側面２ａおよび第２の側面２ｂと、第１の側面２ａおよび第２の側面２ｂとを互いに接続する、第３の側面２ｃおよび第４の側面２ｄとを有している。本実施形態では、第１の側面２ａおよび第２の側面２ｂは、複数の収容部２１が並ぶ方向に延びる面である。
【００２５】
第１の側面２ａは、相手側コネクタＣの相手側係合片Ｃ１２に係合するハウジング側係合片Ｅを有している。電気コネクタ１が相手側コネクタＣに接続されたときに、ハウジング側係合片Ｅが相手側係合片Ｃ１２と係合して、電気コネクタ１の離脱を防止する。ハウジング側係合片Ｅは、ハウジング２の嵌合方向で嵌合側（図３における下側）に爪を有しており、この爪が相手側係合片Ｃ１２の爪と係合する。ハウジング側係合片Ｅは、板状に形成され、嵌合方向の中央部においてハウジング２の第１の側面２ａに接続され、揺動可能に構成されている。これにより、ハウジング側係合片Ｅの嵌合方向で離脱側（図１における上側）の端部を第１の側面２ａに向かって押圧することによって、ハウジング側係合片Ｅの爪と相手側係合片Ｃ１２の爪との間の係合を解除して、電気コネクタ１を相手側コネクタＣから取り外すことができる。
【００２６】
また、第１の側面２ａは、図１に示されるように、第１の側面２ａの幅方向（複数の収容部２１が並ぶ方向。以下、単にハウジング２の幅方向と呼ぶ）の両端において、相手側係合片Ｃ１２の幅よりわずかに長い間隔で離間して配置された一対の案内部Ｇ１、Ｇ２を有している。電気コネクタ１を相手側コネクタＣに接続する際に、一対の案内部Ｇ１、Ｇ２によって、相手側係合片Ｃ１２が案内され、電気コネクタ１を相手側コネクタＣに対して安定して移動させることができる。
【００２７】
また、第１の側面２ａは、図１および図５に示されるように、後述する保持部材４の係合部（第２係合部４３）が係合する被係合部（第２被係合部）２３を有している。被係合部２３は、嵌合方向で嵌合側に向かうにつれて、第１の側面２ａの表面からの高さが高くなるように傾斜したテーパー面と、被係合部２３の嵌合方向で嵌合側の端部に位置し、第１の側面２ａに対して略垂直に延びる垂直面とを有している。これにより、後述する保持部材４がハウジング２に対して嵌合したときに、保持部材４の離脱が抑制される。
【００２８】
また、第１の側面２ａに対向する第２の側面２ｂは、図３〜図５に示されるように、第２の側面２ｂの嵌合方向で離脱側の端部近傍に、第２の側面２ｂから突出する被係合部（第１被係合部）２４を有している。被係合部２４には、後述する保持部材４の係合部（第１係合部４１）が係合し、保持部材４がハウジング２に対して嵌合したときに、保持部材４の離脱が抑制される。
【００２９】
端子３は、ハウジング２に設けられ、単線Ｗおよび相手側端子Ｃ２が接続される。端子３は導電性材料から構成され、単線Ｗおよび相手側端子Ｃ２が接続されたときに電気的に接続される。端子３は、ハウジング２の収容部２１に収容される。本実施形態では、端子３は、打ち抜き加工、切除加工等が施された１枚の金属板が折り曲げられることによって形成され、ハウジング２の収容部２１に挿入されることによって取り付けられている。具体的には、端子３は、金属板が折り曲げられて略直方体状に形成され、嵌合方向に対して垂直な断面が略矩形の細長い収容部２１に端子３が挿入されて固定される。端子３は、図３〜図５に示されるように、側面のうちの１つに板バネ状の係止片３４を有している。係止片３４は、ハウジング２の収容部２１に挿入される際には内側に撓み、端子３が所定の位置に到達すると、ハウジング２の側面（第２の側面２ｂ）に形成された開口部２５の開口縁に設けられた係止部２５ａと係合し、端子３のハウジング２からの抜けを防止している。なお、端子３の形成方法や、ハウジング２への組付方法などは特に限定されない。
【００３０】
端子３は、図３〜図６に示されるように、単線Ｗの先端部Ｗ１１が挿入される挿入口３１ａを有する単線挿入部３１と、単線Ｗの先端部Ｗ１１に電気的に接続される単線接続部３２と、相手側コネクタＣの相手側端子Ｃ２に電気的に接続される相手側端子接続部３３とを有している。
【００３１】
単線挿入部３１は、単線Ｗの先端部Ｗ１１が挿入される部位である。単線挿入部３１は、端子３の一方の端部３ａに設けられ、ハウジング２の第１開口部２１１の近傍に位置している。単線挿入部３１に形成された挿入口３１ａには、単線Ｗの先端部Ｗ１１が挿入される。本実施形態では、挿入口３１ａは単線Ｗの径よりもわずかに大きな円形に形成され、単線Ｗの端子３への挿入時に単線Ｗの挿入方向に対して垂直な方向の移動を規制して、単線Ｗを挿入しやすくしている。なお、挿入口３１ａの形状や構造は、単線Ｗを単線接続部３２に向かって挿入することができれば、特に限定されない。
【００３２】
単線接続部３２は、単線挿入部３１に挿入された単線Ｗの先端部Ｗ１１と電気的に接続される部位である。単線接続部３２は、単線Ｗの先端部Ｗ１１との接触を維持することができるように単線Ｗを挟み込むことが好ましい。単線接続部３２は、単線Ｗを接続可能であれば図示する構造に限定されないが、本実施形態では、単線Ｗの先端部Ｗ１１を両側から挟み込む一対の接点バネ部３２ａ、３２ｂを備えている。
【００３３】
一対の接点バネ部３２ａ、３２ｂは単線Ｗを挟み込んで、単線Ｗと端子３とを電気的に接続する。一対の接点バネ部３２ａ、３２ｂは、端子３の側面から内側に向かって互いに近づくように傾斜して延びている。具体的には、一対の接点バネ部３２ａ、３２ｂは、単線Ｗの挿入方向に進むにつれて、接点バネ部３２ａおよび接点バネ部３２ｂの間の間隔が短くなるように延びている。一対の接点バネ部３２ａ、３２ｂは、端子３の側面に対して内側に折り曲げられるように形成されており、板バネのように機能する。単線Ｗが挿入される前の状態で、接点バネ部３２ａ、３２ｂの先端の間隔は、単線Ｗの径よりも狭くなっており（図６の二点鎖線参照）、単線Ｗが挿入されることによって、接点バネ部３２ａ、３２ｂの先端の間隔が広くなるとともに、接点バネ部３２ａ、３２ｂの間に入った単線Ｗを挟持する（図６参照）。なお、本実施形態では、一対の接点バネ部３２ａ、３２ｂは、ハウジング２の幅方向に対向して設けられているが、ハウジング２の厚さ方向に対向していてもよい。また、端子３は、図６に示されるように、単線接続部３２に挿入された単線Ｗの先端と当接して、単線Ｗの挿入深さを規制する当接部３５を有している。これにより、接点バネ部３２ａ、３２ｂを押し広げて挿入された単線Ｗは、所定量挿入されたときに、当接部３５に当接して停止し、単線Ｗの位置決めがされる。
【００３４】
相手側端子接続部３３は、相手側コネクタＣの相手側端子Ｃ２が電気的に接続される部位である。相手側端子接続部３３の形状および構造は、相手側端子Ｃ２と電気的に接続可能であれば、特に限定されない。本実施形態では、相手側端子接続部３３は、端子３を構成する金属板が折り曲げられてバネ状に形成されたバネ部３３１を有している。具体的には、バネ部３３１は、端子３の他方の端部３ｂで折り曲げられて一方の端部３ａに向かって傾斜して延びた後、さらに折り曲げられて形成されている。端子３の側面の内面と、バネ部３３１との間隔は、相手側端子Ｃ２の幅よりも狭くなっており、相手側端子Ｃ２が相手側端子接続部３３に接続された際に、端子３の側面の内面と、バネ部３３１とによって相手側端子Ｃ２を挟み込むように構成されている。
【００３５】
保持部材４は、ハウジング２の、単線Ｗが接続される側の端部に取り付けられ、単線Ｗが所定の延在方向に延びるように保持する。本実施形態では、単線Ｗは単線Ｗの先端部Ｗ１１に対して折り曲げられて延びており、ハウジング２の外側に延びる単線Ｗが端子３の単線接続部３２に接続された先端部Ｗ１１と同軸上にならないように、単線Ｗを保持している。保持部材４の材料は特に限定されないが、たとえば、絶縁性を有する樹脂材料によって形成される。
【００３６】
保持部材４は、端子３に接続された単線Ｗが折り曲げられた状態のときに、ハウジング２の単線Ｗが接続される側の端部（第１開口部２１１が設けられた端部）に取り付けられる。なお、単線Ｗは、端子３に接続された後に曲げられてもよいし、端子３に接続される前に曲げられていてもよい。保持部材４とハウジング２との間の取付方法は、単線Ｗが所定の延在方向に延びた状態で、保持部材４とハウジング２とを接続することができれば、特に限定されない。本実施形態では、保持部材４は、ハウジング２に係合することによって取り付けられている。具体的には、保持部材４は、図３、図４、図７および図８に示されるように、第１係合部４１を有し、第１係合部４１が、ハウジング２の第２の側面２ｂに設けられた第１被係合部２４と係合することによって、保持部材４のハウジング２からの離脱を抑制している。保持部材４は、図３〜図５に示されるように、単線Ｗの先端部Ｗ１１の軸Ｘ方向に対して垂直な方向に延びる基体４２を有し、第１係合部４１は、第１被係合部２４と係合できるように基体４２から単線Ｗの先端部Ｗ１１の軸Ｘ方向に延びている。第１係合部４１の形状や構造は特に限定されないが、本実施形態では、第１係合部４１は先端に爪を有し、保持部材４がハウジング２に向かって単線Ｗの先端部Ｗ１１の軸Ｘ方向に押し込まれることによって、第１係合部４１の爪が第１被係合部２４と係合する（図３参照）。第１係合部４１は、本実施形態では、互いに略平行に複数設けられており、複数の第１係合部４１の間に、折り曲げられた単線Ｗが所定の延在方向に延びている。
【００３７】
また、保持部材４は、図５、図７および図９に示されるように、第２係合部４３を有している。第２係合部４３は、ハウジング２の第１の側面２ａに設けられた第２被係合部２３と係合することによって、保持部材４のハウジング２からの離脱を抑制している。第２係合部４３は、第２被係合部２３と係合できるように基体４２から単線Ｗの先端部Ｗ１１の軸Ｘ方向に延びている。第２係合部４３の形状や構造は特に限定されないが、本実施形態では、第２係合部４３は、略Ｕ字状に形成された板バネ状の係合部である。保持部材４がハウジング２に向かって単線Ｗの先端部Ｗ１１の軸Ｘ方向に押し込まれることによって、第２係合部４３の先端部が第２被係合部２３の傾斜面を乗り越えて、第２被係合部２３の垂直面に、第２係合部４３が係合する（図５参照）。
【００３８】
本実施形態では、保持部材４は、図３〜図５および図９に示されるように、単線Ｗの先端部Ｗ１１の軸方向に対して垂直な方向に延びる押圧面４２ａを有している。保持部材４が押圧面４２ａを有していることによって、保持部材４をハウジング２に嵌合する際に、保持部材４に力を加えやすく、容易に保持部材４をハウジング２に取り付けることができる。また、保持部材４がハウジング２に取り付けられた後、電気コネクタ１を相手側コネクタＣに接続する際に、押圧面４２ａを押圧することによって、湾曲した単線Ｗに力が加わって曲がったりすることを防ぐことができる。押圧面４２ａは、全体が平坦に形成されていてもよいし、本実施形態のように、指などによって押圧する面積が確保されていれば部分的に肉抜きがされていてもよい。
【００３９】
保持部材４は、本実施形態では、第１係合部４１および第２係合部４３の他に、保持部材４がハウジング２に取り付けられたときに、ハウジング２の第１の側面２ａ、第３の側面２ｃおよび第４の側面２ｄの三方の外面に対向して、ハウジング２の端部に被さるように設けられた側壁を有している（図７参照）。側壁は、本実施形態では、第１の側面２ａに対向する第１側壁４ａと、第３の側面２ｃに対向する第２側壁４ｂと、第４の側面２ｄに対向する第３側壁４ｃとを有している。第２側壁４ｂと第３側壁４ｃとは互いに対向し、第２側壁４ｂは、ハウジング２の第２の側面２ｂに係合するように、第３側壁４ｃに向かって突出した突出部Ｐ（図７参照）を有し、同様に第３側壁４ｃは、ハウジング２の第２の側面２ｂに係合するように、第２側壁４ｂに向かって突出した突出部を有している。上述したように、保持部材４の第１側壁４ａ、第２側壁４ｂおよび第３側壁４ｃが、ハウジング２の第１の側面２ａ、第３の側面２ｃおよび第４の側面２ｄの三方の外面に対向し、第２側壁４ｂおよび第３側壁４ｃから突出する突出部Ｐがハウジング２の第２の側面２ｂに係合する。これにより、より保持部材４をハウジング２に対して安定して取り付けることができる。なお、第１側壁４ａの中央部には、第２係合部４３が設けられている。
【００４０】
保持部材４は、図３〜図５に示されるように、単線Ｗをハウジング２の内部から外部へと導出する導出部４４を有している。導出部４４は、単線接続部３２における単線Ｗの先端部Ｗ１１の軸Ｘ方向に対して交差するように所定の延在方向へと屈曲して延びる単線Ｗを導出するように構成されている。本実施形態では、単線Ｗの所定の延在方向は、単線Ｗの先端部Ｗ１１に対して略直交する方向であるが、単線Ｗの延在方向が、先端部Ｗ１１の延長線上になければよい。単線Ｗの先端部Ｗ１１の軸Ｘと単線Ｗの導出部４４を通る部分の軸Ｘ２（図３〜図５参照）とがなす角度は特に限定されないが、たとえば、８０〜１００度であることが好ましく、８５〜９５度であることがさらに好ましい。
【００４１】
導出部４４は、単線Ｗが先端部Ｗ１１に対して屈曲して延びるように案内する部分である。本実施形態では、導出部４４は、保持部材４の基体４２の底面４２ｂと、ハウジング２の第２の側面２ｂの上端面２６によって、単線Ｗの先端部Ｗ１１の軸Ｘ方向の寸法が画定されている。本実施形態では、詳細は後述するが、導出部４４は、単線Ｗの先端部Ｗ１１が先端部Ｗ１１の軸Ｘ回りに回転しないように、単線Ｗと当接する一対の壁部４４ａ、４４ｂを有している。一対の壁部４４ａ、４４ｂは、単線Ｗの径に対応する距離でハウジング２の幅方向に沿って互いに離間して設けられている。本実施形態では、一対の壁部４４ａ、４４ｂは、隣接する一対の第１係合部４１の互いに対向する側縁が一対の壁部４４ａ、４４ｂを構成している。なお、最も外側に設けられた単線Ｗは、第１係合部４１の側縁と、第１係合部４１の側縁に対向する基体４２の側壁４２ｃ（図４および図８参照）とが一対の壁部４４ａ、４４ｂを構成している。なお、導出部４４は、本実施形態では、ハウジング２の第２の側面２ｂ側に開口しているが、導出部は、第１の側面２ａ側に開口していてもよいし、第３の側面２ｃまたは第４の側面２ｄ側に開口していてもよいし、これらの一部または全ての側において開口していてもよい。
【００４２】
つぎに、本実施形態の作用効果を説明する。
【００４３】
本実施形態では、保持部材４が導出部４４を有し、導出部４４は、単線Ｗの先端部Ｗ１１の軸Ｘ方向に対して交差するように所定の延在方向へと屈曲して延びる単線Ｗを導出するように構成されている。これにより、単線Ｗは、単線Ｗが電気コネクタ１に接続されたときに、単線Ｗの先端部Ｗ１１の軸Ｘと、導出部４４から導出される単線Ｗの導出部分の軸Ｘ２とが交差して取り付けられる。そのため、たとえば、ハウジング２の外部に導出された単線Ｗの導出部分に軸Ｘ２回りに回転力Ｆ（図３参照）が加わった場合であっても、単線Ｗの先端部Ｗ１１には、単線Ｗの先端部Ｗ１１の単線接続部３２からの離脱の原因となる、単線Ｗの先端部Ｗ１１の軸Ｘ回りに回転する力が作用しない。したがって、単線Ｗの先端部Ｗ１１が単線接続部３２から離脱することが抑制される。
【００４４】
また、本実施形態では、導出部４４は一対の壁部４４ａ、４４ｂを有し、導出部４４を通る単線Ｗは、一対の壁部４４ａ、４４ｂと当接する。そのため、仮に単線Ｗの導出部４４から導出された部分に、図５に示されるように、単線Ｗの先端部Ｗ１１の軸Ｘ回りに回転するように単線Ｗを水平方向に揺動させる力Ｆ２が加わった場合であっても、単線Ｗと一対の壁部４４ａ、４４ｂが当接する。そのため、単線Ｗの揺動は、一対の壁部４４ａ、４４ｂと単線Ｗとが当接することによって、単線Ｗの先端部Ｗ１１に回転力が伝達されることがない。よって、単線Ｗの先端部Ｗ１１には、単線Ｗの単線接続部３２からの離脱の原因となる、単線Ｗの先端部Ｗ１１の軸Ｘ回りに回転する力が作用しない。したがって、単線Ｗの先端部Ｗ１１が単線接続部３２から離脱することが抑制される。
【００４５】
また、本実施形態では、保持部材４の第１係合部４１は、導出部４４に隣接した位置に設けられている。第１係合部４１が導出部４４に隣接した位置に設けられていることによって、たとえば、単線Ｗに図３に矢印Ｆ３で示されるように、保持部材４がハウジング２から外れる方向に力Ｆ３が加わった場合であっても、単線Ｗから保持部材４に加わる力を第１係合部４１と第１被係合部２４との係合によって支持して、保持部材４がハウジング２から外れることを効率的に抑制することができる。
【００４６】
つぎに、本実施形態の変形例について説明する。
【００４７】
上記実施形態では、複数の単線Ｗが同じ方向に延びるように導出部４４が設けられていたが、たとえば、図１０および図１１に示されるように、保持部材４が、導出部４４において導出される単線Ｗの延在方向（図１１の二点鎖線参照）以外の第２の方向に単線Ｗが屈曲した場合に、単線Ｗを第２の方向に導出可能な第２導出部４５をさらに有していてもよい。なお、第２導出部４５が設けられた側と反対側には、導出部４４が設けられている。
【００４８】
第２導出部４５は、図１０においては区画された矩形の貫通孔として示されている。この場合、保持部材４をハウジング２に組み付ける前に、単線Ｗを第２導出部４５に通せばよい。なお、第２導出部４５は、周囲が区画された貫通孔とせずに、導出部４４と同様の構成としてもよい。
【００４９】
また、保持部材４は、図１２および図１３に示されるように、単線Ｗが単線Ｗの先端部Ｗ１１の軸Ｘ方向に沿って延びる場合に、単線Ｗを導出可能な第３導出部４６をさらに有していてもよい。この場合、たとえば、電気コネクタ１に接続される単線Ｗの数が多くなると、単線Ｗを延在させる方向が様々な方向になる場合がある。そのような場合に、第３導出部４６が設けられていることによって、単線Ｗの延在方向の選択性を高めることができる。
【００５０】
また、図１４の概略図に示されるように、導出部２７が、ハウジング２に設けられていてもよい。たとえば、ハウジング２の第１開口部２１１が設けられた端部に、単線Ｗを収容可能な切欠部を形成することによって、導出部２７とすることができる。ハウジング２に導出部２７を形成した場合も、保持部材４に導出部４４を形成した場合と同様の効果を得ることができる。なお、導出部２７に加えて、第２導出部（図１０および図１１参照）をハウジング２に形成することもできる。
【符号の説明】
【００５１】
１  電気コネクタ
２  ハウジング
２ａ  第１の側面
２ｂ  第２の側面
２ｃ  第３の側面
２ｄ  第４の側面
２１  収容部
２１１  第１開口部
２１２  第２開口部
２２  隔壁
２３  第２被係合部
２４  第１被係合部
２５  開口部
２５ａ  係止部
２６  ハウジングの第２の側面の上端面
３  端子
３ａ  端子の一方の端部
３ｂ  端子の他方の端部
３１  単線挿入部
３１ａ  挿入口
３２  単線接続部
３２ａ、３２ｂ  接点バネ部
３３  相手側端子接続部
３３１  バネ部
３４  係止片
３５  当接部
４  保持部材
４ａ  第１側壁
４ｂ  第２側壁
４ｃ  第３側壁
４１  第１係合部
４２  基体
４２ａ  押圧面
４２ｂ  基体の底面
４２ｃ  第１係合部の側縁に対向する基体の側壁
４３  第２係合部
４４  導出部
４４ａ、４４ｂ  壁部
４５  第２導出部
４６  第３導出部
Ｂ  基板
Ｃ  相手側コネクタ
Ｃ１  基部
Ｃ１１  端子台
Ｃ１２  相手側係合片
Ｃ２  相手側端子
Ｅ  ハウジング側係合片
Ｇ１、Ｇ２  案内部
Ｐ  突出部
Ｗ  単線
Ｗ１  導体
Ｗ１１  単線の先端部
Ｗ２  被覆
Ｘ  単線の先端部の軸
Ｘ２  単線の導出部を通る部分の軸
【図１】
2020184418.tif 000003
【図２】
2020184418.tif 000004
【図３】
2020184418.tif 000005
【図４】
2020184418.tif 000006
【図５】
2020184418.tif 000007
【図６】
2020184418.tif 000008
【図７】
2020184418.tif 000009
【図８】
2020184418.tif 000010
【図９】
2020184418.tif 000011
【図１０】
2020184418.tif 000012
【図１１】
2020184418.tif 000013
【図１２】
2020184418.tif 000014
【図１３】
2020184418.tif 000015
【図１４】
2020184418.tif 000016